(57)【要約】      （修正有）【課題】電源等を不要とし、作業者等が傾斜板を踏むと警報音を鳴動させ、作業者等に危険領域内への侵入を喚起させ、開口部内への転落事故を未然に防止すると共に、軽量で構成部品の点数を少なくして、製作コストを安価とし、かつ敷設・撤収作業を効率よく行うことができる警告板を提供する。【解決手段】警告板Ａは、基板１と、一端側２ａが基板１と連設されるか又は連結具を介して連結され、他端側２ｂの端部は一端側２ａより高くされている傾斜板２と、基板１と傾斜板間２に形成される空間１２に挟着され、気体が充填されると共に、基板１の一端側２ａ又は他端側２ｂに気体流通管を設けた気体収納体３と、気体流通管３ａに嵌装され、気体収納体３内の気体が気体流通管３ａを流出入することにより、警報音を鳴動させる発音体４と、を主な構成部材としている。【選択図】図３
0003150950.tif 000002
【実用新案登録請求の範囲】
【請求項１】
橋梁工事や建築工事現場等における危険領域に配設され、転落事故等を未然に防止するための警告板であって、
床面又は地面に水平に設置される平面視四角形の基板と、
一端側が前記基板と一体的かつ上下動可能に延設されるか又は連結具を介して上下動可能に連結され、他端側の端部は一端側より高くされている傾斜板と、
前記基板と傾斜板間に形成される空間に挟着され、気体が充填されると共に、前記基板の一端側又は他端側に気体流通管を設けた気体収納体と、
前記気体流通管に嵌装され、前記気体収納体内の気体が気体流通管を流通することにより警報音を鳴動させる発音体と、
からなることを特徴とする、警告板。
【請求項２】
前記発音体は前記基板と傾斜板の一端側又は他端側もしくは両端側に鳴動可能に取り付けられている、
ことを特徴とする、請求項１に記載の警告板。
【請求項３】
前記基板と傾斜板の空間の他端側近傍にはスプリングが取り付けられている、
ことを特徴とする、請求項１〜請求項２の何れかに記載の警告板。
【請求項４】
前記基板と傾斜板の素材が硬質プラスチック樹脂材、木材又は厚紙からなる、
ことを特徴とする、請求項１〜請求項３の何れかに記載の警告板。
【請求項５】
前記基板の底部には滑り止め材が取り付けられている、
ことを特徴とする、請求項１〜請求項４の何れかに記載の警告板。
【請求項６】
前記傾斜板の上面には滑り止め手段が形成されている、
ことを特徴とする、請求項１〜請求項５の何れかに記載の警告板。
【請求項７】
前記基板は隣設する基板と水平方向に連結可能とされている、
ことを特徴とする、請求項１〜請求項６の何れかに記載の警告板。
【請求項８】
前記傾斜板の上面他端側には把持部が設けられている、
ことを特徴とする、請求項１〜請求項７の何れかに記載の警告板。
【考案の詳細な説明】
【技術分野】
【０００１】
本考案は、例えば足場板の床面等に敷設される警告板に係り、より詳しくは、橋梁工事や建築工事現場等において、各種材料及び作業工具類の運搬のために、地上又は地下等に形成された開口部周辺等の危険領域内へ作業者等が侵入し、開口部内への転落事故を未然に防止する警告板に関する。
【背景技術】
【０００２】
例えば橋梁工事等においては、橋梁側面や底部に取り付けられたフック等を介し、チェーン又はロープ等を懸吊して作業用の足場を作り、錆び落とし、ペンキ塗装、その他のメンテナンス工事等が行われている。足場板と足場板間に形成された開口部は、塗料、各種工具類の運搬に利用されている。また足場板と足場板が連結されていない場所（開口）もある。開口部周辺の危険領域には、安全策として手摺り又は侵入防止柵等が設置することが奨められてはいるが、これらの安全策が、現場の作業者にとっては作業進捗の障害となる、又は煩雑である等の理由で設置されていない場合がある。作業者が作業に集中しすぎて、開口部が近くにあることを失念し、開口部内に転落する事故が発生している。これらの開口部内への転落事故を防止するための各種安全用具や警報装置等が提案がされている。
【０００３】
例えば、特許文献１（第１頁、図１参照）の「落下防止用安全具」は、解決しようとする課題を、グレーチング床面を開口して所定の作業を行う場合、人がグレーチング床面の開口部から落下することを防止する安全具を提供するとしている。その解決手段として、落下防止用安全具は、蓋部と蓋部支持枠から構成され、蓋部はグレーチング床面の開口部を覆い、グレーチング床面より突起して設けられ、これにより、その場所において作業が行われており、グレーチング床面に開口部があることを他者が認識するよう注意を喚起できる構成としている。また特許文献２（第１頁、図２参照）の「警報マット」は、解決しようとする課題を、電源を全く必要としない警報マットを提供することとしている。解決手段（構成）は、マットの上面に、複数の踏み下げ可能な、例えば蒲鉾形状の弾性突出部を適当間隔おきに配設し、踏み下げ時に圧縮される前記弾性突出部内の空気室に連通する笛をこの弾性突出部の外側に取付けて成ることを特徴としている。
【先行技術文献】
【特許文献】
【０００４】
【特許文献１】特開２００７−３０８９２０号公報
【特許文献２】特開平０５−２４２３７３号公報
【考案の概要】
【考案が解決しようとする課題】
【０００５】
特許文献１は、床面に形成された開口部を突起した蓋部で覆うので、橋梁工事等における塗料、各種工具類を運搬することに利用する作業用足場の開口部には適さない。また狭いスペース内での作業には支障となる欠点がある。 特許文献２は、マットの上面に、複数の踏み下げ可能な蒲鉾形状の弾性突出部を適当間隔おきに配設してなるから、作業現場においては、作業者の作業靴の爪先等が弾性突出部に引っかかり、蹴躓いて転倒する虞があることが想定される。
【０００６】
本考案が解決しようとする課題は、電源及び電気配線その他の電気関連備品を不要とし、作業者等が傾斜板を踏むと警報音を鳴動させ、作業者等に危険領域内に侵入したことを喚起させると共に、開口部内への転落事故を未然に防止すると共に、軽量で構成部品の点数を少なくして、製作コストを安価とし、かつ敷設・撤収作業を効率よく行うことができる警告板を提供することにある。
【課題を解決するための手段】
【０００７】
本考案者は、上記従来技術が有する各種の問題点に鑑み、鋭意検討を重ねて本考案を完成したものである。課題を解決するための手段は、本願、実用新案登録請求の範囲の各請求項に記載の考案であり、その具体的な解決手段は、以下の通りである。
【０００８】
課題を解決するための第１の考案は、請求項１に記載の考案であり、
橋梁工事や建築工事現場等における危険領域に配設され、転落事故等を未然に防止するための警告板であって、
床面又は地面に水平に設置される平面視四角形の基板と、
一端側が前記基板と一体的かつ上下動可能に延設されるか又は連結具を介して上下動可能に連結され、他端側の端部は一端側より高くされている傾斜板と、
前記基板と傾斜板間に形成される空間に挟着され、気体が充填されると共に、前記基板の一端側又は他端側に気体流通管を設けた気体収納体と、
前記気体流通管に嵌装され、前記気体収納体内の気体が気体流通管を流通することにより警報音を鳴動させる発音体と、
からなることを特徴としている。
【０００９】
課題を解決するための第２の考案は、請求項２に記載の考案であり、
請求項１に記載の警告板において、
前記発音体は前記基板と傾斜板の一端側又は他端側もしくは両端側に鳴動可能に取り付けられている、
ことを特徴としている。
【００１０】
課題を解決するための第３の考案は、請求項３に記載の考案であり、
請求項１〜請求項２の何れかに記載の警告板において、
前記基板と傾斜板の空間の他端側近傍にはスプリングが取り付けられている、
ことを特徴としている。
【００１１】
課題を解決するための第４の考案は、請求項４に記載の考案であり、
請求項１〜請求項３の何れかに記載の警告板において、
前記基板と傾斜板の素材が硬質プラスチック樹脂材、木材又は厚紙からなる、
ことを特徴としている。
【００１２】
課題を解決するための第５の考案は、請求項５に記載の考案であり、
請求項１〜請求項４の何れかに記載の警告板において、
前記基板の底部には滑り止め材が取り付けられている、
ことを特徴としている。
【００１３】
課題を解決するための第６の考案は、請求項６に記載の考案であり、
請求項１〜請求項５の何れかに記載の警告板において、
前記傾斜板の上面には滑り止め手段が形成されている、
ことを特徴としている。
【００１４】
課題を解決するための第７の考案は、請求項７に記載の考案であり、
請求項１〜請求項６の何れかに記載の警告板において、
前記基板は隣設する基板と水平方向に連結可能とされている、
ことを特徴としている。
【００１５】
課題を解決するための第８の考案は、請求項８に記載の考案であり、
請求項１〜請求項７の何れかに記載の警告板において、
前記傾斜板の上面他端側には把持部が設けられている、
ことを特徴としている。
【考案の効果】
【００１６】
本考案に係る、警告板は、上記の構成になるから以下の効果を奏する。
即ち第１の考案によれば、橋梁工事や建築工事現場等における危険領域に配設され、転落事故等を未然に防止するための警告板であって、床面又は地面にと水平に設置される平面視四角形の基板と、一端側が前記基板と連設されるか又は連結具を介して連結され、他端側の端部は一端側より高くされている傾斜板と、前記基板と傾斜板間に形成される空間に挟着され、気体が充填されると共に、前記基板の一端側又は他端側に気体流通管を設けた気体収納体と、前記気体流通管に嵌装され、前記気体収納体内の気体が気体流通管を流通することにより警報音を鳴動させる発音体と、からなるという当業界にある者が想到することが困難な特徴的な構成としており、
また第２の考案によれば、発音体は前記基板と傾斜板の一端側又は他端側もしくは両端側に鳴動可能に取り付けられている、という特徴的な構成としているので、
電源及び電気配線その他の電気関連備品を不要とし、作業者が傾斜板を踏むと警報音を鳴動させ、作業者に危険領域内に侵入したことを喚起させると共に、開口部内への転落事故を未然に防止できる警告板の提供という課題を解決することができた。即ち、例えば橋梁工事現場等においては、作業スペースが限定されており、電源及び電気配線その他の電気関連備品の確保が困難な場合があり、かつ電気配線その他の電気関連備品等は作業進捗の障害物となりやすい。また侵入禁止用の手摺りや安全柵の設置がなされていない場合でも、転落事故を防止する有効な手段となる。
【００１７】
第３の考案によれば、基板と傾斜板の空間の他端側近傍にはスプリングが取り付けられているので、
警報音が鳴動した後、傾斜板上の作業者の体重が無負荷となれば、スプリングのバネ圧により、気体は気体流通管を介して直ちに気体収納体に充填される。
【００１８】
第４の考案によれば、基板と傾斜板の素材が硬質プラスチック樹脂材、木材又は厚紙からなるので、
警告板の総重量を軽量とし、また例えば基板と傾斜板の素材として硬質プラスチック樹脂材を選択すれば、公知の成型技術により基板と傾斜板は一体的に製作することができるので、製作コストを節減することができる。
【００１９】
第５の考案によれば、基板の底部には滑り止め材が取り付けられているので、
傾斜板に作業者等の体重が負荷されても左右前後に滑動することがなく、警告板を常に安定させることができる。
【００２０】
第６の考案によれば、傾斜板の上面には滑り止め手段が形成されているので、
作業者等が傾斜板の上で滑ったり転倒することがない。
【００２１】
第７の考案によれば、基板は隣設する基板と水平方向に連結可能とされているから、
開口部等危険領域の状況に適合する大きさと所要数の警告板を配設することができる。
【００２２】
第８の考案によれば、傾斜板の上面他端側には把持部が設けられているので、
警告板の敷設・撤収作業等を効率よく行うことができる。
【図面の簡単な説明】
【００２３】
【図１】は、本考案に係る、警告板の使用態様を示す平面図である。
【図２】は、同上正面図である。
【図３】は、本考案に係る、警告板の一部切欠正面図である。
【図４】は、同上平面図である。
【図５】は、本考案に係る、警告板の他の実施形態を示す一部切欠正面図である。
【図６】は、同上平面図である。
【図７】（イ）〜（ロ）は、危険領域の周辺に、警告板を複数個配設した状態を示す平面図である。
【考案を実施するための形態】
【００２４】
【実施例１】
【００２５】
以下、本考案に係る、警告板Ａの実施形態について図面を参照しながら説明する。図１及び図２における２０は、例えば橋梁工事における側壁面に架設された足場である。２１及び２２は、チェーン２３等によって懸吊された足場板、３０は、足場板２１と２２間に形成された開口部で、塗料等の作業用材料や工具類を地上から引き上げたり、降ろしたりすることに利用するものである。この開口部３０が危険領域で、地上から約３〜１０ｍ以上になる場合もあり、作業者Ｈが開口部３０から地上に転落すれば大事故となる。通常は図１及び図２に示すように、足場板２１と２２間には手摺り３１及び３２等が架設されている。しかし作業工程の進捗状況によっては、手摺り３１及び３２が架設されていない場合があり、作業者の転落事故が起きる場合がある。警告板Ａは、開口部３０の手前に敷設される。
【００２６】
図３及び図４は、警告板Ａの全体を示している。１は基板、２は傾斜板、３は気体収納体、４は発音体である。基板１及び傾斜板２は、硬質プラスチック樹脂材、例えばＦＲＰ（Ｆｉｂｅｒ  Ｒｅｉｎｆｏｒｃｅｄ  Ｐｌａｓｔｉｃｓ＝繊維強化プラスチック）等を公知技術により一体成型加工して製作されたものである。基板１及び傾斜板２の一端側２ａは、曲面をなし、当該一端側２ａから他端側２ｂへ、傾斜角度θ、例えば約５°〜１０°の緩斜面となっている。基板１及び傾斜板２の一端側２ａの高さｈ１は、約５ｃｍ〜２０ｃｍとし、作業者等が蹴躓かない高さとされている。また他端側２ｂの高さｈ２は、約３０ｃｍ〜４０ｃｍとされている。７は、滑り止め材で基板１底面の四ヶ所に設けられている。滑り止め材７は、傾斜板２に作業者等の体重が負荷されたとき、警告板Ａが前後左右に滑動することを防ぐためである。滑り止め材７は、基板１及び傾斜板２と一体的に製作することもでき、又は基板１等と別素材で製作することもできる。
基板１及び傾斜板２で形成される空間１２には、軟質プラスチック樹脂材、例えば塩化ビニール製の気体収納体３が挟着されている。気体収納体３の基板１及び傾斜板２の一端側２ａには気体流通管３ａが取り付けられ、当該気体流通管３ａの先端部には、気体の流出入によって鳴動する発音体４が嵌装されている。発音体４は、気体収納体３の気体流通管３ａを介して他端側２ｂに嵌装することもできる。また発音体４は、一端側２ａ及び他端側２ｂの両側に嵌装することもできる。発音体４は、作業者等の体重が負荷され、気体収納体３が圧縮変形して内部の気体が気体流通管３ａから流出するときのみ鳴動するようにしてもよいし、また逆に圧縮された気体収納体３が弾性により原形に復元しようとして外気体が流入する時のみ音を発するようにしてもよく、さらには気体の流出及び流入時のいずれの場合でも鳴動するようにしてもよい。６はスプリングで、傾斜板２上の作業者等の体重が無負荷となれば、そのバネ圧により、外部の気体を直ちに
気体流通管３ａを介して、気体収納体３に充填・膨満させるためのものである。
【００２７】
図４は、警告板Ａの平面図で、図示するするように基板１及び傾斜板２は、四角形状をなし、巾寸Ｌは、約３０ｃｍ〜１００ｃｍ、奥行きＷは、約３０ｃｍ〜５０ｃｍとしている。基板１及び傾斜板２の厚さは約１０ｍｍ〜２０ｍｍで、気体収納体３は基板１及び傾斜板２で形成される空間１２内に収納され固定されている。８は滑り止め手段で、傾斜板２の上面に設けられた、例えばローレット等が刻設され、作業者等の足が滑ったり、転倒することを防止する。
【実施例２】
【００２８】
図５及び図６は、警告板Ｂの他の実施形態である。警告板Ｂを構成する部材が、警告板Ａと同一のものについては、警告板Ａと同符号を用いて説明する。基板１及び傾斜板２を、例えば木材で製作するとき、基板１と傾斜板２の一端側２ａは、連結具５によって傾斜板２が上下動可能に連結されている。連結具５の素材としては、ＦＲＰ（繊維強化プラスチック）又は薄鉄板等の弾性素材が好ましい。連結具５を、例えば薄鉄板としたとき、予め基板１と傾斜板２の傾斜角度θが、約５°〜１０°のＶ字状になるようにプレス加工されており、当該連結具５は、基板１又は傾斜板２にそれぞれ接着剤又は皿ねじ等によって固着される。気体収納体３は、楕円球状としている。気体収納体３の他端側２ｂには、気体流通管３ａが取り付けられ、当該気体流通管３ａの外方先端部には、気体の流通によって鳴動する発音体４が嵌装されている。発音体４は、作業者等の体重が負荷され、気体収納体３が圧縮変形して内部の気体が気体流通管３ａから流出するときのみ鳴動するようにしてもよいし、また逆に圧縮された気体収納体３が弾性により原形に膨張変形しようとして外気体が流入する時のみ音を発するようにしてもよく、さらには気体の流出及び流入時のいずれにも鳴動するようにしてもよい。１３は、傾斜板２の底部に取り付けられた押圧具で、気体収納体３の頂部に当接され、傾斜板２に作業者等の体重が負荷されると、押圧具１３は、気体収納体３を圧縮変形し、内部の気体を気体流通管３ａから流出させて発音体４を鳴動させる。傾斜板２の上面他端側２ｂには把持部１０が取り付けれられている。把持部１０は、警告板Ｂの配設・撤収作業の効率性をよくするためのものである。１４は、布地シート又は化学繊維シート等で、滑り止めとして、傾斜板２上に貼着されている。９ａは、隣設する警告板Ｂと警告板Ｂを連結する連結ピン９を挿着するためのピン孔である。
【００２９】
図７（イ）〜（ロ）は、危険領域３０の周辺に、警告板Ａ又はＢを複数配設した状態を示し、危険領域３０の規模等により、配設する警告板Ａ又はＢの数量が決定される。隣設する警告板Ａ又はＢは、連結ピン９で一体的に連結され、強風等による離散を防止することができる。
【産業上の利用可能性】
【００３０】
本考案に係る、警告板Ａ又はＢは、橋梁工事や建築工事現場等における開口部にはもちろん、マンホール工事における開口部３０、地震、集中豪雨等による道路陥没や崖崩れ等の危険領域３０周辺に配設され、作業者や通行人等に危険領域に近づいていることを喚起し、転落事故等を未然に防止することができる、有益な考案である。
【符号の説明】
【００３１】
Ａ            警告板
Ｂ            警告板
Ｈ            作業者
１            基板
２            傾斜板
２ａ          一端側
２ｂ          他端側
３            気体収納体
３ａ          気体流通管
４            発音体
５            連結具
６            スプリング
７            滑り止め材
８            滑り止め手段
９            連結ピン
１０          把持部
１２          空間
２０          足場
２１、２２    足場板
３０          開口部（危険領域）
【図１】
0003150950.tif 000003
【図２】
0003150950.tif 000004
【図３】
0003150950.tif 000005
【図４】
0003150950.tif 000006
【図５】
0003150950.tif 000007
【図６】
0003150950.tif 000008
【図７】
0003150950.tif 000009